(57)【要約】【課題】ＬＥＤ照明機器において、光が強く出る方向や量を変えられるようにする。【解決手段】ＬＥＤ光源をガラス１またはカバーで覆ったＬＥＤ照明機器であって、ガラス１またはカバーを、少なくとも一部のクリアー部分３を除いてフロスト加工による部分的くもり仕上げ４とする。その部分的くもり仕上げ４を除いた前記少なくとも一部のクリアー部分３は、図形、文字、記号、もしくは領域によるデザイン表示部である。【選択図】図１
2017188309.tif 000002
【特許請求の範囲】
【請求項１】
ＬＥＤ光源をガラスまたはカバーで覆ったＬＥＤ照明機器であって、
前記ガラスまたはカバーを、少なくとも一部を除いてフロスト加工による部分的くもり仕上げとしたことを特徴とするＬＥＤ照明機器。
【請求項２】
前記少なくとも一部を、図形、文字、記号、もしくは領域によるデザイン表示部としたことを特徴とする請求項１に記載のＬＥＤ照明機器。
【発明の詳細な説明】
【技術分野】
【０００１】
本発明は、例えばＬＥＤ電球等のＬＥＤ照明機器に関する。
【背景技術】
【０００２】
例えば図４に示すように、ＬＥＤ電球は、クリアーガラス４１内で線状のフィラメントＬＥＤ４２が光り、照度を出す構造で、フィラメントＬＥＤ４２を基盤に付けて面発光により、矢印で示したように、特に周囲方向に光を出していた。
【０００３】
なお、特許文献１・２において、内面または表面の全面をフロスト加工したカバーを備えるＬＥＤ照明が開示される。
【先行技術文献】
【特許文献】
【０００４】
【特許文献１】特開２０１２−２８２０５号公報
【特許文献２】ＷＯ２０１２／１３７９６４号公報
【発明の概要】
【発明が解決しようとする課題】
【０００５】
しかし、従来のＬＥＤ電球は、前述したように、フィラメントＬＥＤを基盤に付けて面発光により周囲方向に光を出していたので、電球周辺への光の方向性が偏り気味であり、特に周囲方向においては、クリアーガラス４１から強く出る光によるグレア―（眩しさ、輝度）の問題があった。
【０００６】
本発明の課題は、ＬＥＤ照明機器において、光が強く出る方向や量を変えられるようにすることである。
【課題を解決するための手段】
【０００７】
以上の課題を解決するため、請求項１に記載の発明は、
ＬＥＤ光源をガラスまたはカバーで覆ったＬＥＤ照明機器であって、
前記ガラスまたはカバーを、少なくとも一部を除いてフロスト加工による部分的くもり仕上げとしたことを特徴とする。
【０００８】
請求項２に記載の発明は、
請求項１に記載のＬＥＤ照明機器であって、
前記少なくとも一部を、図形、文字、記号、もしくは領域によるデザイン表示部としたことを特徴とする。
【発明の効果】
【０００９】
本発明によれば、ＬＥＤ照明機器の光が強く出る方向や量を変えることができる。
【図面の簡単な説明】
【００１０】
【図１】本発明を適用したＬＥＤ電球の一実施形態の構成を示す概略側面図である。
【図２】実施形態２のＬＥＤ電球の構成を示す概略側面図（ａ）（ｂ）である。
【図３】実施形態３のＬＥＤ電球の構成を示す概略側面図（ａ）〜（ｃ）である。
【図４】一般的なＬＥＤ電球の概略側面図である。
【発明を実施するための形態】
【００１１】
以下、図を参照して本発明を実施するための形態を詳細に説明する。
（実施形態１）
図１は本発明を適用したＬＥＤ電球の一実施形態の概略構成を示すもので、１は口金、２はクリアーガラス、３はクリアー部分、４はくもり仕上げ部分である。
【００１２】
このＬＥＤ電球は、フィラメントＬＥＤが封入されたクリアーガラス２の内面に、図示のように、その一部の小円形のクリアー部分３を除いて大部分に、フロスト加工による部分的くもり仕上げとしたくもり仕上げ部分４が形成されている。
【００１３】
このように、クリアーガラス２の内面に、一部の小円形のクリアー部分３を除いた大部分をフロスト加工によるくもり仕上げ部分４としたので、フィラメントＬＥＤによる発光を小円形部３のみから出して、矢印で示したように、小円形のクリアー部分３を除いた大部分のくもり仕上げ部分４からは柔らかい光を出す。
【００１４】
従って、小円形のクリアー部分３によりフィラメントＬＥＤの光が強く出る方向や量を変えることができて、ＬＥＤ電球の特長であり欠点でもあるグレア―を大部分のくもり仕上げ部分４により低減することができる。
【００１５】
（実施形態２）
図２は実施形態２のＬＥＤ電球の概略構成を示すもので、図２（ａ）に示すように、このＬＥＤ電球は、クリアーガラス２の内面に、その一部の記号及び英語文字によるクリアー部分３を除いて大部分に、フロスト加工による部分的くもり仕上げとしたくもり仕上げ部分４が形成されている。
【００１６】
また、図２（ｂ）に示すように、このＬＥＤ電球は、クリアーガラス２の内面に、その一部のローマ語ロゴによるクリアー部分３を除いて大部分に、フロスト加工による部分的くもり仕上げとしたくもり仕上げ部分４が形成されている。
【００１７】
このように、クリアーガラス２の内面に、一部の記号及び英語文字によるクリアー部分３やローマ語ロゴによるクリアー部分３を除いた大部分をフロスト加工によるくもり仕上げ部分４としたので、フィラメントＬＥＤによる発光を記号及び英語文字によるクリアー部分３やローマ語ロゴによるクリアー部分３のみから出して、矢印で示したように、クリアー部分３を除いた大部分のくもり仕上げ部分４からは柔らかい光を出す。
【００１８】
従って、前述した実施形態と同様に、記号及び英語文字によるクリアー部分３やローマ語ロゴによるクリアー部分３によりフィラメントＬＥＤの光が強く出る方向や量を変えることができて、ＬＥＤ電球の特長であり欠点でもあるグレア―を大部分のくもり仕上げ部分４により低減することができる。
【００１９】
そして、記号及び英語文字によるクリアー部分３やローマ語ロゴによるクリアー部分３が描かれているので、会社名などの広告、ＰＲ機能付きのＬＥＤ電球になって、記号や文字のデザインを楽しんだり、サイン効果、演出効果、ＰＲなど多用途でもＬＥＤ電球を使用することができる。
しかも、ＬＥＤ電球なので、白熱電球以上の長寿命を生かせて、サイン効果、演出効果、ＰＲなどの効果を長く楽しめ、アピールすることができる。
【００２０】
（実施形態３）
図３は実施形態３のＬＥＤ電球の概略構成を示すもので、図３（ａ）に示すように、このＬＥＤ電球は、クリアーガラス２の内面に、その口金１と反対の先端側略半部のクリアー部分３を除いて、口金１側の略半部にフロスト加工による部分的くもり仕上げとしたくもり仕上げ部分４が形成されている。
【００２１】
また、図３（ｂ）に示すように、このＬＥＤ電球は、クリアーガラス２の内面に、その口金１と反対の先端側部のクリアー部分３と口金１側の基端側部のクリアー部分３を除いて、その間の中間部にフロスト加工による部分的くもり仕上げとしたくもり仕上げ部分４が形成されている。
【００２２】
また、図３（ｃ）に示すように、このＬＥＤ電球は、クリアーガラス２の内面に、その左右の一半部のクリアー部分３を除いて、他半部にフロスト加工による部分的くもり仕上げとしたくもり仕上げ部分４が形成されている。
【００２３】
このように、クリアーガラス２の内面に、先端側略半部のクリアー部分３や先端側部のクリアー部分３及び基端側部のクリアー部分３や左右一半部のクリアー部分３を除いた部分をフロスト加工によるくもり仕上げ部分４としたので、フィラメントＬＥＤによる発光を先端側略半部のクリアー部分３や先端側部のクリアー部分３及び基端側部のクリアー部分３や左右一半部のクリアー部分３から出して、矢印で示したように、先端側略半部のクリアー部分３や先端側部のクリアー部分３及び基端側部のクリアー部分３や左右一半部のクリアー部分３を除いたくもり仕上げ部分４からは柔らかい光を出す。
【００２４】
従って、前述した実施形態と同様に、先端側略半部のクリアー部分３や先端側部のクリアー部分３及び基端側部のクリアー部分３や左右一半部のクリアー部分３によりフィラメントＬＥＤの光が強く出る方向や量を変えることができて、ＬＥＤ電球の特長であり欠点でもあるグレア―を他のくもり仕上げ部分４により低減することができる。
【００２５】
そして、先端側略半部のクリアー部分３や先端側部のクリアー部分３及び基端側部のクリアー部分３や左右一半部のクリアー部分３と他のくもり仕上げ部分４とに分けられているので、従来にない変わったデザインのＬＥＤ電球になって、そのデザインを楽しんだり、サイン効果、演出効果などの用途でもＬＥＤ電球を使用することができる。
しかも、ＬＥＤ電球なので、白熱電球以上の長寿命を生かせて、サイン効果、演出効果などの効果を長く楽しめ、アピールすることができる。
【００２６】
以上、実施形態のＬＥＤ電球によれば、クリアーガラス２に、その少なくとも一部のクリアー部分３を除いたフロスト加工による部分的くもり仕上げとしたくもり仕上げ部分４を形成したので、光が強く出る方向や量を変えることができる。
そして、ＬＥＤ電球の特長であって、欠点でもあるグレア―をくもり仕上げ部分４により低減することができる。
【００２７】
さらに、くもり仕上げ部分４以外のクリアー部分３に文字、記号、柄、線などを描いて広告、ＰＲ機能付きのＬＥＤ電球になるので、サイン効果、演出効果、ＰＲなど多用途で使用でき、文字や絵などのデザインを楽しんだり、店や企業のＰＲにも使うことができる。
しかも、ＬＥＤ電球は、白熱ランプ以上の長寿命を生かせるので、前述した効果を長く楽しめ、アピールすることができる。
【００２８】
（変形例）
以上の実施形態においては、ＬＥＤ電球としたが、本発明はこれに限定されるものではなく、カバーを備えるライン型ＬＥＤ灯など他のＬＥＤ照明機器であってもよい。
また、実施形態では、クリアーガラスの内面をフロスト加工したが、クリアーガラスの外面をフロスト加工してもよい。
さらに、デザイン表示の形状は任意であり、その他、具体的な細部構造等についても適宜に変更可能であることは勿論である。
【符号の説明】
【００２９】
１  口金
２  ガラス
３  クリアー部分
４  くもり仕上げ部分
【図１】
2017188309.tif 000003
【図２】
2017188309.tif 000004
【図３】
2017188309.tif 000005
【図４】
2017188309.tif 000006